(57)【要約】【課題】内部を効果的に防水することができるクロージャを提供する。【解決手段】クロージャ１は、ケーブル１２をクロージャ１の内部に導入するための貫通領域Ｓ１が内部に形成されたケーブル導入部２０を備える。ケーブル導入部２０は、ケーブル導入部２０の内側で貫通領域Ｓ１を規定する貫通領域規定面６３と、貫通領域Ｓ１内でＸ方向に延在する封止材７０とを有する。貫通領域Ｓ１のうち封止材７０が延在している封止材延在領域Ｓ２は、その端部Ｓ３が封止材延在領域Ｓ２の他の領域に比べて狭くなっている。そして、少なくとも封止材延在領域Ｓ２の端部Ｓ３において、ケーブル１２の外周面１２Ａと貫通領域規定面６３との間が封止材７０により封止されている。【選択図】図４
2018165735.tif 000002
【特許請求の範囲】
【請求項１】
内部に光ファイバを含んだケーブルを相互接続するためのクロージャであって、
前記ケーブルを前記クロージャの内部に導入するための貫通領域が内部に形成されたケーブル導入部を備え、
前記ケーブル導入部は、
前記ケーブル導入部の内側で前記貫通領域を規定する貫通領域規定面と、
前記貫通領域内で前記ケーブルの軸方向に延在する封止材と
を有し、
前記貫通領域のうち前記封止材が延在している封止材延在領域は、その端部が前記封止材延在領域の他の領域に比べて狭くなっており、
少なくとも前記封止材延在領域の端部において、前記ケーブルの外周面と前記貫通領域規定面との間が前記封止材により封止されている、
クロージャ。
【請求項２】
前記封止材延在領域は、前記貫通領域規定面の縁部のうち前記クロージャの外側に位置する外側縁部から離間した位置にある、請求項１に記載のクロージャ。
【請求項３】
前記ケーブル導入部は、前記貫通領域規定面の縁部のうち前記クロージャの外側に位置する外側縁部から前記ケーブルに向かって突出する鍔部をさらに有している、請求項１又は２に記載のクロージャ。
【請求項４】
前記貫通領域規定面は、前記封止材延在領域を規定する封止材延在領域規定面を含み、
前記封止材延在領域規定面は、前記軸方向に平行な基準面に対して所定の角度をなして前記封止材延在領域の端部に向かって傾斜している、
請求項１から３のいずれか一項に記載のクロージャ。
【発明の詳細な説明】
【技術分野】
【０００１】
本発明は、クロージャに係り、内部に光ファイバを含んだケーブルを相互接続するために使用されるクロージャの封止構造に関するものである。
【背景技術】
【０００２】
架空通信線路や地中通信線路のケーブル中の光ファイバを相互接続したり所望の建物に分岐させたりするために、光ファイバの接続構造や分岐構造を内部に収容したクロージャ（端子函）と呼ばれるケース体が使用されることがある。従来このようなクロージャにおいては、クロージャの内部を保護（防水）するために、例えば、特許文献１のような技術が用いられることがある。特許文献１のクロージャは、ケーブルをクロージャの内部に導入するためのケーブル導入部を有しており、このケーブル導入部の内側にエラストマーを設けることで、クロージャ内部の防水が図られる。このようなケーブル導入部は、上部材と下部材とを含んでおり、これら上部材と下部材とを上下方向に合体させることにより構成される。すなわち、上述のエラストマーは、このような上部材と下部材との間に挟み込まれた状態になっている。
【０００３】
しかしながら、特許文献１のエラストマーは単に上部材と下部材との間に挟み込まれているだけなので、上部材の内面とエラストマーとの間、エラストマーとケーブルとの間、又は下部材の内面とエラストマーとの間などに隙間が空いてしまう場合がある。この場合、このような隙間から水がクロージャの内部に侵入してしまうため、クロージャ内を効果的に防水することができない。
【先行技術文献】
【特許文献】
【０００４】
【特許文献１】特開２００９−０６０７３５号公報
【発明の概要】
【発明が解決しようとする課題】
【０００５】
本発明は、このような従来技術の問題点に鑑みてなされたもので、内部を効果的に防水することができるクロージャを提供することを目的とする。
【課題を解決するための手段】
【０００６】
本発明の一態様によれば、内部を効果的に防水することができるクロージャが提供される。このクロージャは、内部に光ファイバを含んだケーブルを相互接続するために用いられる。上記クロージャは、上記ケーブルを上記クロージャの内部に導入するための貫通領域が内部に形成されたケーブル導入部を備えている。上記ケーブル導入部は、上記ケーブル導入部の内側で上記貫通領域を規定する貫通領域規定面と、上記貫通領域内で上記ケーブルの軸方向に延在する封止材とを有している。そして、上記貫通領域のうち上記封止材が延在している封止材延在領域は、その端部が上記封止材延在領域の他の領域に比べて狭くなっている。また、少なくとも上記封止材延在領域の端部において、上記ケーブルの外周面と上記貫通領域規定面との間が上記封止材により封止されている。
【０００７】
このように、本発明に係るクロージャによれば、ケーブル導入部の貫通領域のうち封止材延在領域の端部が、該封止材延在領域の他の領域に比べて狭くなっており、かつ、少なくともこの端部においてケーブルの外周面と貫通領域規定面との間が封止材により封止されているため、貫通領域に水が浸入した場合でも、この水が封止材延在領域の端部においてせき止められる。したがって、クロージャの内部を効果的に防水することができる。
【０００８】
ここで、上記封止材延在領域は、上記貫通領域規定面の縁部のうち上記クロージャの外側に位置する外側縁部から離間した位置にあることが好ましい。このような構成により、ケーブルがクロージャに対して曲がってしまった場合でも、封止材に亀裂が入ってしまうことが効果的に抑制される。また、上記ケーブル導入部は、上記貫通領域規定面の縁部のうち上記クロージャの外側に位置する外側縁部から上記ケーブルに向かって突出する鍔部をさらに有していることが好ましい。このような構成により、ケーブルがクロージャに対して曲がってしまった場合でも、ケーブルの曲がりが鍔部によって規制されるため、封止材に亀裂が入ってしまうことがさらに効果的に抑制される。
【０００９】
上記貫通領域規定面は、上記封止材延在領域を規定する封止材延在領域規定面を含んでもよい。この場合において、上記封止材延在領域規定面は、上記軸方向に平行な基準面に対して所定の角度をなして上記封止材延在領域の端部に向かって傾斜している。このような構成により、ケーブル外周面と貫通領域規定面との間をより確実に塞ぐことができる。
【発明の効果】
【００１０】
本発明によれば、ケーブルをクロージャの内部に導入するためのケーブル導入部の貫通領域が端部を含んでおり、少なくとも端部において、ケーブルの外周面と貫通領域規定面との間が封止材により封止されていることにより、貫通領域に水が浸入した場合でも、封止材によって水がせき止められるため、クロージャの内部を効果的に防水することができるという効果がある。
【図面の簡単な説明】
【００１１】
【図１】図１は、本発明の第１の実施形態におけるクロージャを示す斜視図である。
【図２】図２は、図１に示すクロージャのケーブル導入部を示す分解斜視図である。
【図３】図３は、図２に示す縦断面図である。
【図４】図４は、図１に示すＡ−Ａ線断面図である。
【図５】図５は、本発明の第２の実施形態におけるクロージャを示す図であり、図４に対応する断面図である。
【発明を実施するための形態】
【００１２】
以下、本発明に係るクロージャの実施形態について図１から図５を参照して詳細に説明する。なお、図１から図５において、同一又は相当する構成要素には、同一の符号を付して重複した説明を省略する。また、図１から図５においては、各構成要素の縮尺や寸法が誇張されて示されている場合や一部の構成要素が省略されている場合がある。
【００１３】
図１は、本発明の第１の実施形態におけるクロージャ１を示す斜視図である。図１に示すように、クロージャ１は、略直方体の外形を有するケース体として構成されている。このクロージャ１は、図１において−Ｚ方向側に位置するベース部１０と、＋Ｚ方向側に位置するカバー部１１とを備えている。カバー部１１はベース部１０と略同一の外形及び寸法を有しており、このようなカバー部１１がベース部１０を覆うことにより、内部が中空のクロージャ１が構成される。
【００１４】
図１に示すように、クロージャ１には、２本のケーブル１２，１２と１本のケーブル１３とが導入されており、クロージャ１の内部空間ではこれらのケーブル１２，１３の内部の光ファイバが互いに融着接続されている。すなわち、ケーブル１２，１２に含まれる光ファイバと、ケーブル１３に含まれる光ファイバとは、クロージャ１の内部空間で相互接続されている。より具体的には、例えば、クロージャ１の内部空間には中板１５（図４参照）が敷かれており、この中板１５に対してケーブル１２の光ファイバやケーブル１３の光ファイバが所望の位置に固定され、これらの光ファイバが互いに接続されている。本実施形態におけるケーブル１２やケーブル１３は、例えば、およそ１１ｍｍ〜およそ１５ｍｍの直径（太さ）に形成される。なお、ケーブル１２やケーブル１３の本数は適宜変更できることは言うまでもない。
【００１５】
このようなクロージャ１は、地中や電信柱などに設置することができるが、例えば電信柱に設置する場合には、図１の＋Ｚ方向側（すなわち、カバー部１１）が作業者の手前側になるように設置される。
【００１６】
図１に示すように、クロージャ１のベース部１０は、−Ｘ方向側に位置する正面壁１０Ａを有している。この正面壁１０Ａには、その−Ｙ方向側の端部近傍において互いに隣接するように第１のケーブル導入部２０と第２のケーブル導入部２１とが取り付けられている。すなわち、クロージャ１は、第１のケーブル導入部２０と第２のケーブル導入部２１とをさらに備えている。
【００１７】
図１に示すように、第１のケーブル導入部２０は、＋Ｚ方向側に位置する第１の部材３０と−Ｚ方向側に位置する第２の部材４０とが重ね合わされた（合体した）構成を有している。このような第１のケーブル導入部２０を２本のケーブル１２，１２が貫通することにより、ケーブル１２、１２がクロージャ１の内部空間に導入されている。同様に、第２のケーブル導入部２１は、＋Ｚ方向側に位置する第１の部材２２と−Ｚ方向側に位置する第２の部材２３とが重ね合わされた（合体した）構成を有している。このような第２のケーブル導入部２１を１本のケーブル１３が貫通することにより、ケーブル１３がクロージャ１の内部空間に導入されている。
【００１８】
以下、上述の第１のケーブル導入部２０について詳細に説明する。なお、本実施形態において、第２のケーブル導入部２１の構成は、貫通するケーブルの本数の相違を除いて第１のケーブル導入部２０の構成と実質的に同一であるため、第２のケーブル導入部２１の説明は省略する。
【００１９】
ここで、図２は第１のケーブル導入部２０を示す分解斜視図であり、図３は第１のケーブル導入部２０を示す縦断面図である。図２に示すように、第１のケーブル導入部２０は第１の部材３０と第２の部材４０とを含んでいる。図３に示すように、これら第１の部材３０と第２の部材４０とは、それぞれ内部がくり抜かれた構造を有している。
【００２０】
図２に示すように、第１の部材３０は、壁部３１と、壁部３１の下側で図２の左下側に向かって延びる延伸部３２とを有している。壁部３１は、図１においてＹＺ平面として示される正面壁３３と、正面壁３３の反対側（すなわち、クロージャ１の内部空間側）に位置する背面壁３４とを有している。正面壁３３の下側（すなわち、図１の−Ｚ方向側）からは、正面壁３３と垂直な方向（すなわち、図１の−Ｘ方向）に向かって延伸部３２が延びている。
【００２１】
図２に示すように、延伸部３２は、正面壁３３と略垂直に（図１の−Ｘ方向に）延びる上面壁６０と、上面壁６０の先端（図１の−Ｘ方向側の端部）から下方（図１の−Ｚ方向側）に向かって延びる鍔部３９とを含んでいる。この鍔部３９の中央部には、２つの半円状の切欠き３９Ａ，３９Ａが形成されている。図３に示すように、切欠き３９Ａ，３９Ａの反対側（図１の＋Ｘ方向側）にも、切欠き３９Ａ，３９Ａに対応して半円状の切欠き３９Ｂ，３９Ｂが形成されている。このような切欠き３９Ａ，３９Ｂは、ケーブル１２の直径よりもやや大きな直径を有している。
【００２２】
一方、図２に示すように、背面壁３４の底部からは、背面壁３４と垂直な方向（図１の＋Ｘ方向）に後方凸部３７が延びている。後方凸部３７は、背面壁３４のＹ方向（図１参照）における両縁部に設けられている。後方凸部３７，３７のそれぞれの中央部には、後方凸部３７をＺ方向（図１参照）に貫通するボルト孔３８が形成されている。
【００２３】
図２に示すように、このような正面壁３３と背面壁３４との間には溝３６が形成されている。この溝３６の図２における上側（図１の＋Ｚ方向側）には、正面壁３３の頂面３３Ａ及び背面壁３４の頂面３４Ａよりも上方（図１の＋Ｚ方向側）に突出する突起部３５が設けられている。この突起部３５は、図１に示すＹ方向に延びている。
【００２４】
図１及び図２に示すように、第２の部材４０は、第１の部材３０の壁部３１を除いて、第１の部材３０と略同一の外形及び寸法に形成されている。図２に示すように、第２の部材４０は、中央部がくり抜かれた本体部４１と、本体部４１から本体部４１の外側に突出し、図１においてＹＺ平面として示されるフランジ部４２とを有している。
【００２５】
図２に示すように、第２の部材４０の本体部４１は、フランジ部４２に垂直な方向（すなわち、図１のＸ方向）に延びる１対の側壁４３，４３と、１対の側壁４３，４３の先端（図１の−Ｘ方向側の端部）に接続されてフランジ部４２と平行に延びる鍔部４４と、１対の側壁４３，４３の終端（図１の＋Ｘ方向側の端部）に接続されてフランジ部４２と平行に延びる背面壁４５と、これら鍔部４４、側壁４３，４３、及び背面壁４５の下側に位置して図１の＋Ｘ方向に延びる基底壁６１とを有している。鍔部４４の中央部には、２つの半円状の切欠き４４Ａ，４４Ａが形成されており、これらの切欠き４４Ａ，４４Ａに対応して、背面壁４５の中央部にも、２つの半円状の切欠き４５Ａ，４５Ａが形成されている。このような切欠き４４Ａ，４５Ａは、ケーブル１２の直径よりもやや大きな直径を有している。
【００２６】
図２に示すように、１対の側壁４３，４３のそれぞれの終端からは、背面壁４５よりもさらに後方（図１の＋Ｘ方向側）に向かって後方凸部４６，４６が延びている。これら後方凸部４６，４６の中央部のそれぞれには、後方凸部４６を図１のＺ方向に貫通するボルト孔４７が形成されている。そして、後方凸部４６の前端面４６Ａとフランジ部４２との間に溝４８が形成されている。フランジ部４２からは、溝４８の内側に向かって突部４８Ａが突出している。また、側壁４３の頂面４３Ａのうちフランジ部４２の近傍からは、上方（図１の＋Ｚ方向側）に向かって突起４９が延びている。
【００２７】
図３に示すように、第１のケーブル導入部２０は、このような第１の部材３０と第２の部材４０とが正確に重なり合って構成されたものである。すなわち、第２の部材４０の側壁４３に立設された突起４９を第１の部材３０に形成された凹部（図示せず）に嵌入することによって、第１の部材３０と第２の部材４０とが位置決めされて互いにずれることなく重なり合い、第１のケーブル導入部２０が構成される。
【００２８】
そして、このように第１の部材３０と第２の部材４０とが正確に重なり合うことにより、図３に示すように、第１のケーブル導入部２０の正面側（図１の−Ｘ方向側）に、第１の部材３０の切欠き３９Ａと第２の部材４０の切欠き４４Ａとからなる円状のケーブル導入口５０Ａが２つ形成され、背面側（図１の＋Ｘ方向側）に、第１の部材３０の切欠き３９Ｂと第２の部材４０の切欠き４５Ａとからなる円状のケーブル導出口５０Ｂが２つ形成される。すなわち、あるケーブル導入口５０Ａとこのケーブル導入口５０Ａに対応するケーブル導出口５０Ｂとが、図１のＸ方向に一直線上に並ぶように形成される。
【００２９】
また、第１の部材３０と第２の部材４０とが正確に重なり合うことにより、第１の部材３０の側部（図１のＹ方向における縁部）に形成された溝３６と、第２の部材４０の側部（図１のＹ方向における縁部）に形成された溝４８とが連通して、第１のケーブル導入部２０のＹ方向における両側部に図１のＺ方向に延びる溝３６，４８が形成される（図２参照）。
【００３０】
また、第１の部材３０と第２の部材４０とが正確に重なり合うことにより、第１の部材３０の後方凸部３７と第２の部材４０の後方凸部４６とが重なり合い、後方凸部３７のボルト孔３８と、後方凸部４６のボルト孔４７とが連通する（図３参照）。
【００３１】
さらに、図３に示すように、内部がくり抜かれた第１の部材３０と第２の部材４０とが重なり合うことにより、ケーブル導入口５０Ａを介してクロージャ１の外部に連通し、かつ、ケーブル導出口５０Ｂを介してクロージャ１の内部空間に連通する貫通領域Ｓ１が、第１のケーブル導入部２０の内部に形成される。換言すれば、第２の部材４０の１対の側壁４３，４３、鍔部４４、背面壁４５、及び基底壁６１のそれぞれの内面と、第１の部材３０の延伸部３２の内面とからなる貫通領域規定面６３によって規定される貫通領域Ｓ１が、第１のケーブル導入部２０の内部に形成される。
【００３２】
図３に示すように、このような貫通領域規定面６３のうち、第１の部材３０の延伸部３２における上面壁６０の内面６０Ａは、上面壁６０に平行な（すなわち、Ｘ方向に延びる）基準面Ｆ１に対して角度αだけ傾いている。すなわち、−Ｘ方向に向かって次第に下降するように角度αだけ傾いている。同様に、貫通領域規定面６３のうち、第２の部材４０の基底壁６１の内面６１Ａは、基底壁６１に平行な（すなわち、Ｘ方向に延びる）基準面Ｆ２に対して角度βだけ傾いている。すなわち、−Ｘ方向に向かって次第に下降するように角度βだけ傾いている。
【００３３】
図１に戻って、クロージャ１のベース部１０の正面壁１０Ａのうち−Ｙ方向側の端部近傍には、第１のケーブル導入部２０のＹ方向における全長と実質的に等しい幅の切欠きが形成されている。このような切欠きは、正面壁１０Ａの頂部から切り欠かれており、第１のケーブル導入部２０のＺ方向における全長と実質的に等しい長さに渡って形成されている。したがって、互いに連通した溝３６，４８をこの切欠きに挿通することにより、第１のケーブル導入部２０をベース部１０に嵌め込むことができる。
【００３４】
ここで、図４は、図１に示すＡ−Ａ線断面図である。図４に示すように、第２の部材４０には、フランジ部４２から溝４８の内側に向かって突出する突部４８Ａが形成されている。一方、図４に示すように、ベース部１０のうち溝４８に当接する部分には、突部４８Ａに対応して凹凸構造１４が形成されている。このような構成により、第１のケーブル導入部２０がベース部１０に嵌り込んだ際には、第２の部材４０の突部４８Ａとベース部１０の凹凸構造１４とが互いに係合するようになっている。
【００３５】
また、図４に示すように、第１の部材３０の壁部３１の頂面からは突起部３５が＋Ｚ方向に突出している。一方、カバー部１１のうち第１の部材３０（壁部３１）に当接する部分には、突起部３５に対応して−Ｚ方向に突出する突部１１Ａが形成されている。このような構成により、カバー部１１の突部１１Ａと第１のケーブル導入部２０の突起部３５とが互いに係合するようになっている。
【００３６】
上述のように、第１の部材３０と第２の部材４０とが重なり合うことにより、第１の部材３０の後方凸部３７に形成されたボルト孔３８と、後方凸部４６に形成されたボルト孔４７とが連通する。したがって、図４に示すように、これら連通したボルト孔３８，４７と、中板１５に形成されたボルト孔（図示せず）とにボルト１６を螺合することによって、第１のケーブル導入部２０が中板１５にしっかりと固定される。
【００３７】
以上の構成により、図４に示すように、第１のケーブル導入部２０が、クロージャ１のベース部１０、カバー部１１、及び中板１５に対してしっかりと固定される。そして、図４に示すように、このような第１のケーブル導入部２０のケーブル導入口５０Ａを介してケーブル１２が貫通領域Ｓ１に導入され、ケーブル導出口５０Ｂを介してケーブル１２が貫通領域Ｓ１からクロージャ１の内部空間に導出される。
【００３８】
図４に示すように、このような貫通領域Ｓ１のうち、Ｘ方向における中央部近傍から＋Ｘ方向側に延びる領域Ｓ２（封止材延在領域Ｓ２）には、例えば、シリコンゲルからなる封止材７０がケーブル１２の軸方向（Ｘ方向）に沿って延在している。このような封止材７０によって、ケーブル１２の外周面１２Ａと貫通領域規定面６３との間が塞がれている。特に、封止材延在領域Ｓ２のうち、少なくとも−Ｘ方向側の端部の領域Ｓ３において、ケーブル１２の外周面１２Ａと貫通領域規定面６３との間が封止材７０によって実質的に完全に塞がれた状態（すなわち、封止された状態）となっている。以下、このようなクロージャ１の封止構造について詳細に説明する。
【００３９】
このような封止材７０を貫通領域Ｓ１に設ける際には（すなわち、クロージャ１の封止構造を構成する際には）、例えば、まず、図２に示す分解状態において、第２の部材４０の切欠き４４Ａ，４５Ａにケーブル１２を通す。その後、第２の部材４０の内側の空間のうち、例えばＸ方向における略中央部からやや＋Ｘ方向にずれた位置に、ケーブル１２の外周面１２Ａの全周を覆うように封止材７０を形成する。さらにその後、第１の部材３０を第２の部材４０に上方からかぶせて、第１の部材３０を第２の部材４０に向かって押圧する。これにより、封止材７０は、ケーブル１２の外周面１２Ａと第１のケーブル導入部２０の貫通領域規定面６３との間に挟み込まれた状態となる。この際、封止材７０は、第１の部材３０と第２の部材４０とによって上下方向（図４のＺ方向）に押圧されることにより、押しつぶされてＸ方向（ケーブル１２の軸方向）に広がっていく。すなわち、封止材延在領域Ｓ２がＸ方向に広がっていく。
【００４０】
ここで、図４に示すように、貫通領域規定面６３のうち上面壁６０の内面６０Ａは、基準面Ｆ１（図３参照）に対して角度αだけ−Ｘ方向に傾いている。また、貫通領域規定面６３のうち基底壁６１の内面６１Ａは、基準面Ｆ２（図３参照）に対して角度βだけ−Ｘ方向に傾いている。すなわち、図４に示すように、貫通領域Ｓ１は、−Ｘ方向に行くに従い次第に狭くなるように形成されている。
【００４１】
上述のように、封止材７０は、第１のケーブル導入部２０を構成する際に第１の部材３０と第２の部材４０とによって押しつぶされて貫通領域Ｓ１内をＸ方向に広がっていくが、貫通領域Ｓ１は−Ｘ方向に行くに従い次第に狭くなっているため、封止材７０の−Ｘ方向側の端部７０Ａ（図４参照）は、その位置が−Ｘ方向に移動するに従い、貫通領域規定面６３から大きな反発力（すなわち、封止材７０を＋Ｘ方向に押し返そうとする力）を受ける。そのため、封止材７０の端部７０Ａが所定の狭さになっている領域Ｓ３まで達すると、封止材７０はそれ以上−Ｘ方向に広がることができなくなる。すなわち、領域Ｓ３（封止材延在領域Ｓ２の−Ｘ方向側の端部）を除く封止材延在領域Ｓ２においては封止材７０の−Ｘ方向への移動が許容されるのに対し、領域Ｓ３においてはこのような移動が規制されるため、領域Ｓ３における封止材７０の密度が封止材延在領域Ｓ２の他の領域に比べて大きくなる。その結果、封止材延在領域Ｓ２のうち少なくとも領域Ｓ３において（換言すれば、封止材延在領域Ｓ２の−Ｘ方向側の端部において）、ケーブル１２の外周面１２Ａと貫通領域規定面６３との間が封止材７０によって実質的に完全に塞がれる（図４参照）。
【００４２】
このように、本発明に係るクロージャ１は、第１のケーブル導入部２０の貫通領域Ｓ１のうち領域Ｓ３においてケーブル１２の外周面１２Ａと貫通領域規定面６３との間が実質的に完全に塞がれた封止構造を備えている。したがって、第１のケーブル導入部２０のケーブル導入口５０Ａから貫通領域Ｓ１に水が浸入した場合でも、領域Ｓ３において水がせき止められるため、クロージャ１の内部空間が効果的に防水される。また、第２のケーブル導入部２１にも同様の封止構造を採用することにより、第２のケーブル導入部２１からクロージャ１の内部空間に水が浸入することが効果的に防止される。
【００４３】
また、第１のケーブル導入部２０の貫通領域Ｓ１は、−Ｘ方向に行くに従って次第に狭くなるように（−Ｘ方向に傾くように）形成されているため、封止材７０の端部７０Ａが貫通領域Ｓ１のどの位置にある場合でも上述の反発力が作用する。よって、より確実にケーブル１２の外周面１２Ａと貫通領域規定面６３との間を塞ぐことができる。
【００４４】
なお、貫通領域Ｓ１の傾きを形成している上面壁６０の内面６０Ａ及び基底壁６１の内面６１Ａの傾きの角度α及び角度βは、例えば、ケーブル１２の直径（太さ）をおよそ１１ｍｍ〜およそ１５ｍｍに構成する際には、例えば、およそ２°〜およそ４°であることが好ましく、およそ３°であることがさらに好ましい。また、このような角度αと角度βとは同一の角度であることが好ましい。
【００４５】
ところで、ケーブル１２に外力が作用すると、ケーブル１２がクロージャ１に対して大きく曲がってしまうことがある。例えば、ケーブル導入口５０Ａの近傍においてケーブル１２が上面壁６０に近接するように、ケーブル１２が図４の＋Ｚ方向に曲がってしまうことがある。この場合に、封止材７０がケーブル導入口５０Ａの近傍まで形成されていると、互いに近接したケーブル１２と上面壁６０とによって封止材７０が強く圧迫され、封止材７０に亀裂が入るおそれがある。そして、この亀裂から水がクロージャ１の内部に侵入するおそれがある。
【００４６】
しかしながら、図４に示すように、本実施形態における封止材７０は、ケーブル導入口５０Ａの近傍には形成されていない。換言すれば、貫通領域Ｓ１のうちケーブル導入口５０ＡからＸ方向における中央部にかけての領域が中空となっている。したがって、仮にケーブル１２が大きく曲がった場合でも、互いに近接するケーブル１２と上面壁６０とによって封止材７０が強く圧迫されることが防止され、封止材７０に亀裂が入ってしまうことが抑制される。
【００４７】
また、図４に示すように、ケーブル１２は、上面壁６０の−Ｘ方向側の先端からケーブル１２に向かって延びる鍔部３９の切欠き３９Ａと、基底壁６１の−Ｘ方向側の先端からケーブル１２に向かって延びる鍔部４４の切欠き４４Ａとからなるケーブル導入口５０Ａを介して貫通領域Ｓ１に導入されている。したがって、仮にケーブル１２が曲がった場合でも、ケーブル１２は切欠き３９Ａ（又は切欠き４４Ａ）に当接してケーブル１２の曲がりが抑制されるため、封止材７０がケーブル１２と貫通領域規定面６３とによって強く圧迫されることが防止される。そのため、封止材７０に亀裂が入ってしまうことがより効果的に抑制される。
【００４８】
なお、上述の実施形態では、貫通領域Ｓ１が−Ｘ方向に行くに従い次第に狭くになるように（すなわち、−Ｘ方向に傾くように）形成された例を説明したが、貫通領域Ｓ１が＋Ｘ方向に行くに従い次第に狭くになるように（すなわち、＋Ｘ方向に傾くように）形成されていてもよい。さらには、封止材延在領域の端部が封止材延在領域の他の領域に比べて狭くなっているのであれば、上述の貫通領域規定面の外形を任意に変更してもよい。例えば、貫通領域規定面の外形を変更して、以下に述べる第２の実施形態に係るクロージャ１０１を構成してもよい。
【００４９】
ここで、図５は、クロージャ１０１の第１のケーブル導入部１２０の近傍を示す図４に対応する断面図である。図５に示すように、第１のケーブル導入部１２０は、第１の部材１３０と、第２の部材１４０とを備えている。第１の部材１３０は、Ｚ方向に延びる壁部１３１と、壁部１３１の下方（−Ｚ方向側）で壁部１３１を貫通して−Ｘ方向に延びる延伸部１３２とを含んでいる。この延伸部１３２は、中央部がくり抜かれており、壁部１３１から−Ｘ方向に延びる上面壁１６０を有している。一方、第２の部材１４０は、中央部がくり抜かれた本体部１４１を含んでいる。この本体部１４１は、第１のケーブル導入部１２０の底部で−Ｘ方向に延びる基底壁１６１を有している。
【００５０】
このような構成により、図５に示すように、第１のケーブル導入部１２０の内側に、ケーブル１２が貫通する貫通領域Ｓ１１が形成される。より具体的には、上面壁１６０の内面１６０Ａを含む第１の部材１３０の内面と、基底壁１６１の内面１６１Ａを含む第２の部材１４０の内面とを有する貫通領域規定面１６３によって、貫通領域Ｓ１１が形成される。
【００５１】
図５に示すように、上面壁１６０の内面１６０Ａのうち＋Ｘ方向の端部近傍からは、−Ｚ方向に湾曲突部１６２が突出している。一方、基底壁１６１の内面１６１ＡのうちＸ方向における中央部近傍からは、＋Ｚ方向に湾曲突部１６４が突出している。このような構成により、湾曲突部１６２の頂部１６２Ａと湾曲突部１６４の頂部１６４Ａとの間に、貫通領域Ｓ１１の他の領域に比べて狭くなっている領域Ｓ１３が形成される。本実施形態によれば、この領域Ｓ１３から貫通領域Ｓ１１のＸ方向における略中央部にわたって封止材１７０が設けられている。換言すれば、貫通領域Ｓ１１には、領域Ｓ１３から一定の範囲にわたって封止材延在領域Ｓ１２が形成されている。このような封止材１７０は、封止材７０と同様に、例えばシリコンゲルから形成される。
【００５２】
本実施形態においても、上述の第１の実施形態と同様に、第１の部材１３０と第２の部材１４０とによって封止材１７０を押圧することにより、第１のケーブル導入部１２０が構成される。この際、第１の実施形態と同様に、封止材１７０がつぶれてＸ方向に広がることとなるが、貫通領域Ｓ１１には他の領域に比べて狭くなっている領域Ｓ１３が含まれているため、封止材１７０が領域Ｓ１３に達した際にＸ方向への広がりが規制され、領域Ｓ１３における封止材１７０の密度が封止材延在領域Ｓ１２の他の領域に比べて大きくなる。その結果、少なくとも領域Ｓ１３（すなわち、封止材延在領域Ｓ１２のＸ方向における端部）において、ケーブル１２の外周面１２Ａと貫通領域規定面１６３との間が実質的に完全に塞がれる。
【００５３】
なお、上述した第１の実施形態及び第２の実施形態では、封止材７０，１７０としてシリコンゲルを使用した例を説明したが、封止材７０，１７０として他の材料を使用してもよいことは言うまでもない。
【００５４】
また、本明細書において使用した用語「下」、「上」、「底」、「上方」、「下方」、「上側」、「下側」、その他の位置関係を示す用語は、図示した実施形態との関連において使用されているのであり、装置の相対的な位置関係によって変化するものである。
【００５５】
これまで本発明の好ましい実施形態について説明したが、本発明は上述の実施形態に限定されず、その技術的思想の範囲内において種々異なる形態にて実施されてよいことは言うまでもない。
【符号の説明】
【００５６】
１      クロージャ
１０      ベース部
１１      カバー部
１２，１３  ケーブル
１４      凹凸構造
１５      中板
１６      ボルト
２０      第１のケーブル導入部
２１      第２のケーブル導入部
２２，３０  第１の部材
２３，４０  第２の部材
３１      壁部
３２      延伸部
３３      正面壁
３４      背面壁
３５      突起部
３９      鍔部
４１      本体部
４２      フランジ部
４３      側壁
４４      鍔部
４５      背面壁  ４９      突起
５０Ａ    ケーブル導入口
５０Ｂ    ケーブル導出口
６０      上面壁
６１      基底壁
６３      貫通領域規定面
７０      封止材
１０１      クロージャ
１２０      第１のケーブル導入部
１３０      第１の部材
１３１      壁部
１３２      延伸部
１４０      第２の部材
１４１      本体部
１６０      上面壁
１６１      基底壁
１６２      湾曲突部
１６３      貫通領域規定面
１６４      湾曲突部
１７０      封止材
【図１】
2018165735.tif 000003
【図２】
2018165735.tif 000004
【図３】
2018165735.tif 000005
【図４】
2018165735.tif 000006
【図５】
2018165735.tif 000007